(57)【特許請求の範囲】
【請求項１】
弾性素材の長尺材にてなり、長尺方向と交叉方向に表裏凹凸形をなし、凹凸部から背面側に突出した膨出部内に長尺方向の貫通孔を形成した芯材装着部を有する、エキスパンション材を、該貫通孔に装着した棒状の芯材にて長尺方向に複数接続してなる構成を有するエキスパンションジョイントであって、適宜部位において芯材装着部を切欠し、該装着部内に挿着した芯材に補助固定具を連結可能とした構成を有するエキスパンションジョイント。
【請求項２】
弾性素材の長尺材にてなり、長尺方向と交叉方向に表裏凹凸形をなし、少なくとも凹凸部の一方に長尺方向の分断部を形成してなり、該分断部は、中間部にスリットを介在させた凸条を表裏方向に突出形成してなる構成を有するエキスパンションジョイント。
【請求項３】
長尺方向と交叉方向の両端縁に、分断部を分断して表裏方向に突出した凸条からなる係止縁を形成し、この係止縁を躯体に固定した固定金具に支持させるようにしてなる構成を有する請求項２に記載のエキスパンションジョイント。
【発明の詳細な説明】
【技術分野】
【０００１】
本発明は、建造部の躯体間隙を塞ぐためのエキスパンションジョイントに関する。
【背景技術】
【０００２】
隣接する躯体壁間の間隙を閉塞する構成は、金属材を用い、金属材の一部をスライド構造などで摺動し或いはパンタグラフ構造などで伸縮する機械的構造としたものが主流である。しかし、金属材の組み合わせ構造であると、急激で大きな変動に追従しきれず、変形損傷してしまうおそれがあり得る。また、簡便な機構のものとするには限界がある。
これらの視点からすると、硬質ゴムなどの弾性素材を被覆材として用いる利点があると言える。従来の弾性素材を利用したエキスパンションジョイントとしては、単なる波打ち状の蛇腹構造を取り入れているものが示されている程度である。例えば、特許文献１には、被覆材としての布材からなるシートの半分を平坦状に延在させるとともに、他半を波打った蛇腹状に形成したエキスパンションジョイントが示されている。特許文献２には、未加硫ゴム製の蛇腹シートの両端に未加硫ゴム製のガスケットを組み付けて加硫したエキスパンションジョイントが示されている。
【特許文献１】特開２００１−１６４６６３号公報
【特許文献２】特開平９−９９４９７号公報
【発明の開示】
【発明が解決しようとする課題】
【０００３】
上記の現状を分析すると、急激で大きな変動に対して三次元のどのような方向の摺動にも瞬間的に対応できるものとするには、弾性素材の採用が望まれる一方、弾性素材の不利な点を克服し、例えば、種々な長さに設定可能な構成となっていて、状況の異なる現場に便利に対応して使用できるものとし、また、設置状態において強固な固定構造となり、かつ、弾性素材に生じやすい変形（だれ）が起こりにくい構成のものとするなどしたエキスパンションジョイントの提供が望まれるものである。
本発明はこのような着眼に立ってなしたものであり、独自のエキスパンションジョイントを提供せんとするものである。
【課題を解決するための手段】
【０００４】
上記課題を解決するために、本発明は、弾性素材の長尺材にてなり、長尺方向と交叉方向に表裏凹凸形をなし、少なくとも凹凸部の一方に長尺方向の分断部を形成し、或いは、凹凸部に長尺方向の分断部と芯材装着部とを形成してエキスパンションジョイントを構成したことを特徴とする。
【０００５】
上記分断部は、中間部にスリットを介在させた凸条を表裏方向に突出形成したものとすることができる。また、芯材装着部は、凹凸部から背面側に突出した膨出部内に、長尺方向の貫通孔を形成したものとすることができ、この貫通孔には棒状の芯材を挿入して装着することができる。
上記エキスパンションジョイントは、長尺方向と交叉方向の両端縁に、分断部を分断して表裏方向に突出した凸条からなる係止縁を形成し、この係止縁を躯体に固定した固定金具に支持させるようにした構成とすることが好ましい。
また、適宜部位において芯材装着部を切欠し、該装着部内に挿着した芯材に補助固定具を連結可能に構成することができる。
【発明の効果】
【０００６】
上記構成によれば、エキスパンションジョイントは表裏凹凸した弾性素材にてなるので、急激で大きな変動に対して三次元のどのような方向の摺動にも瞬間的に対応できるものとなる。分断部或いは分断部と芯材装着部を設けてあることにより、種々な長さに設定可能な構成となっていて、状況の異なる現場に便利に対応して使用できるものとなり、また、設置状態において強固な固定構造となり、弾性素材に生じやすい変形（だれ）が起こりにくく、定形性を維持できるものとなる
【発明を実施するための最良の形態】
【０００７】
以下、本発明を一実施例として示した図面によって説明する。
図は隣接躯体間隙を閉塞するためのエキスパンションジョイントを例示してあるが、各部の構成は変形が可能であり、以下の例に限定されるものではない。
図１において、１は本発明に係るエキスパンション材、１１，１２は外壁となる隣接躯体、１３は躯体間隙、１４，１５はエキスパンション材１の両端部を固着する固定金具である。
【０００８】
エキスパンション材１は、図２（Ａ）にも示すように、クロロプレンゴム、エチレンプロピレンゴム、シリコンゴム、クロロスルホン化ポリエチレンゴムなど等の任意のエラストマーを押出成形した長尺材で、適度な弾性と硬さ（保形性）を有してなり、表側から見て適宜巾の平坦面となった凸部２と、断面Ｖ字状となった凹部３を長尺方向と交叉方向に交互に連設し、凸部２の中央部には、図２（Ｂ）にも示すように、分断部４を形成し、凹部３のＶ字状頂部には芯材装着部５を形成し、両端部には係止縁６を形成してある。
【０００９】
分断部４は、凸部２の表裏両方向に凸条４ａを対称的に突出させ、凸条の中間部にスリット４ｂを介在させて形成してあり、凸部２を補強、保形するとともに、表裏のスリット４ｂ，４ｂを通して凸部２を切断刃で分断することができ、分断状態において、エキスパンション材１の端縁を固定金具１４，１５によって躯体側に固定するための係止縁６を兼ねることができるようになっている。
【００１０】
芯材装着部５は、凹部３のＶ字状頂部の裏面側に膨出して形成してあり、図示のように断面方形状の膨出形としてもよく、図示しないが円形その他の形状の膨出形としてもよく、この膨出部内に長尺方向の貫通孔５ａを形成してあり、凹部３を補強、保形するとともに、図５の如く棒状の芯材７を挿入して装着することができ、図６の如く膨出部の所望部位を貫通孔部分を含めて切欠することにより、該部分に芯材７を挿着するなどして、これを活用することができる。
【００１１】
係止縁６は、上記したように表裏のスリット４ｂ，４ｂを通して凸部２を分断した形状と同形となり、断面Ｔ字状の突出縁としてある。
なお、上記において、凸部２は例えば二段状凸面とし或いは台形状突面とし、凹部３は例えばＵ字状とし、それぞれその他の形状に変形することができる。
【００１２】
上記構成のエキスパンション材１は、図２（Ａ）を例にすれば、隣接凹部３，３の各Ｖ字状頂部間の巾を５０ｍｍ、Ｖ字巾を２０ｍｍに設定すれば、隣接凸部２，２の各分断部のスリット４ｂ、４ｂ間の巾を５０ｍｍ、凸部の平坦面巾を３０ｍｍに設定でき、これが４連状態となっているから、全体巾が２００ｍｍのエキスパンション材として提供することができ、この部材から、５０、１００、１５０、そして２００ｍｍの４種類の巾のエキスパンション材を分断して形成することができる。もちろん、５連以上連続状態に形成してあれば、種類はさらに多様となる。
また、図１の例は１００ｍｍ巾のものとなり、両端の躯体側への固定部各１５ｍｍづつを除くと、伸縮可能部は７０ｍｍとすることができる。
【００１３】
上記エキスパンション材１の躯体側への固定は、図３，４の如く、固定金具１４，１５を用い、挟着して行うのが好ましい。
固定金具１４はアングル材であり、躯体側面への固定面１４ａとエキスパンション材端部の凸部平坦面部分への係合面１４ｂと有し、その角部に係止縁６を収める段部１４ｃを形成し、係合面１４ｂはエキスパンション材の平坦面を弛みなく係止できるようにギザギザ面として形成してあり、エキスパンション材の端部の片面（裏面）側を挟着するように用いる。
固定金具１５はアングル材或いはＣ形材であり、エキスパンション材の端部を上記固定金具１４と一対となって挟着するギザギザ面の係合面１４ａを有して形成してある。
なお、固定金具１４の固定面１４ａは、図４（Ａ）の平坦面と異なり、図４（Ｂ）に示す如く、間隙の奥行き方向からドライバーを操作してビスなどを斜め方向に止着しやすいように，Ｖ字状に折曲形成しておくことができる。
【００１４】
エキスパンション材１の躯体への固定は、図４（Ａ）にも示す如く、固定金具１４の固定面１４ａを躯体１１側面に接合してビスやアンカーボルトなどで固定し、エキスパンション材の端部を挟着して、裏側に係合面１４ｂを、表側に固定金具１５の係合面１５ａを合わせて、両面をボルトナット締めすれば、係止縁６が係止して抜け外れのおそれなく、エキスパンション材の端部を挟着させ、躯体に固着一体化させることができる。この場合、図示しないが躯体と固定金具及び係止縁部分には断面Ｔ字形などの止水ガスケットを介在させることが好ましい。
なお、施工手順は任意であり、上記説明はこれを限定するものではない。
【００１５】
エキスパンション材１の長手方向の接続は、例えば図５のように行えばよい。
すなわち、接続するエキスパンション材の対向端部の貫通孔５ａ、５ａに，適宜長さの棒状の芯材７を挿着して、接続部分がずれないように安定させるとともに補強させ、エキスパンション材の裏面において、接続部の両側に適宜長さに亘って重なり、かつ凸部２から凹部３及び芯材装着部５に亘って重なるように、同種素材のシート８またはプレートを重合し、この部分に予めプライマー塗布後、接着剤（例えば、オレフィン対応瞬間接着剤）を塗布しておいて、接着一体化すればよい。
【００１６】
設置するエキスパンション材１の長尺方向に対しは、図６に示す如く、適宜間隔を置いて補助固定具１６を連結することができる。
補助固定具１６は、支持腕の先端部に芯材７を把持する如き係合部１６ａを形成し、元端部は図示しないが、構造物の支柱或いは壁面などに固定部に連結できるように形成してある。
芯材装着部５の膨出した部分を貫通孔５ａを含めて切除して切欠部９を形成し、この切欠部９の両側の貫通孔５ａに亘って適宜長さの芯材７を挿着し、こうして切欠部９に露出した芯材中央部に、固定された補助固定具１６の係合部１６ａを係合させることにより、エキスパンション材を安定的に定置させることができ、エキスパンション材が表裏方向にだれたり歪むことを防止することができる。
【００１７】
図１は、外壁としての躯体の一例を示しており、この場合、表側に位置する固定金具１５は目地金具を兼ねており、目地材１７をコーティングできるようにしてある。
これに対して、図７は、内壁としての躯体の一例を示したものであり、このように躯体構造は任意であり、この場合、固定金具１５はＣ形材が用いられるのが好ましく、開口部にはキャッピング１８が被嵌できるようにしてある。
【００１８】
上記エキスパンション材は、壁面構成として設置できるのみならず、天井面、出入隅、或いは天井や床面の取り合い部などにも適用することができる。
図８は、天井に適用した例を示してある。天井面構成は任意であるが、固定金具１４は天井を支える梁材の側面に固着され、エキスパンション材１は、室内側の凸部２に対して凹部３が天井裏側に突出するように配設してあり、芯材装着部５に適宜間隔を置いて切欠部９を形成し、ここに装着した芯材７を基礎天井側から垂下させた補助固定具１６の係合部１６ａに支持させることにより、エキスパンション材の平坦形状を安定して維持させることができる。
【００１９】
図９，１０は入り隅部に適用した例を示してあり、隅角部の芯材装着部５を適宜長さに亘って切除して切欠部９を形成し、凸部２を内折れさせ、切欠部９が入り済外角となるようにエキスパンション材を折曲し、切欠部９に直角折れさせた芯材７を挿着することにより、折り角部が安定した入り隅用エキスパンション材とすることができる。該芯材を補助固定具で支持させることができる。
出隅用エキスパンション材は、図示しないが上記と逆に形成すればよい。
【００２０】
図１１は、壁用のエキスパンション材１の下端部を内折れ（入り隅）させて、床のエキスパンションジョイント１９の下側に差込んで設置した例を示してあり、床エキスパンションジョイント端部の壁との取り合い部を収めることができる。
エキスパンション材１の水平に折曲した差込み部が床エキスパンションジョイントの構造部分に突き当たって、差込みできない箇所があるような場合は、図１０に示してあるように、その箇所に先端から切込み１０を形成して差込みをスムーズにすることができる。
【図面の簡単な説明】
【００２１】
【図１】本発明に係るエキスパンション材の施工状態の部分斜視図である。
【図２】エキスパンション材の構造を示し、（Ａ）はその端面図、（Ｂ）は分断部の拡大図である。
【図３】固定金具を示す分離状態の部分斜視図である。
【図４】固定金具によるエキスパンション材の固定構造を示し、（Ａ）はその一例部分断面図、（Ｂ）は別の一例部分断面図である。
【図５】エキスパンション材の接続構造を示し、（Ａ）は接続部の部分斜視図、（Ｂ）は分解図である。
【図６】芯材装着部の支持構造を示す部分斜視図である。
【図７】図１のエキスパンション材を内壁に適用した例を示す部分断面図である。
【図８】エキスパンション材を天井に適用した例を示す部分斜視図である。
【図９】エキスパンション材を入り隅用とした例を示す部分側面図である。
【図１０】図９の斜視図である。
【図１１】壁のエキスパンション材を床エキスパンションジョイントに収めた例を示す部分断面図である。
【符号の説明】
【００２２】
１  エキスパンション材、      ２  凸部、      ３  凹部、      ４  分断部、
４ａ  凸条、      ４ｂ  スリット、      ５  芯材装着部、      ５ａ  貫通孔、
６  係止縁、      ７  芯材、      ８  シート、      ９  切欠部、
１０  切込み、      １１，１２  躯体、      １３  躯体間隙、
１４，１５  固定金具、
１４ａ  固定面、      １４ｂ  係合面、      １４ｃ  段部、
１５ａ  係合部、      １６  補助固定具、      １６ａ  係合部、
１７  目地材、      １８  キャッピング、      １９  床エキスパンション材。
【図１】
0004809005.tif 000002
【図２】
0004809005.tif 000003
【図３】
0004809005.tif 000004
【図４】
0004809005.tif 000005
【図５】
0004809005.tif 000006
【図６】
0004809005.tif 000007
【図７】
0004809005.tif 000008
【図８】
0004809005.tif 000009
【図９】
0004809005.tif 000010
【図１０】
0004809005.tif 000011
【図１１】
0004809005.tif 000012